(57)【要約】      （修正有）【課題】エアフィルタに付着した塵埃の自動清掃を短時間、且つ確実に行うことができる空気調和機を提供する。【解決手段】エアフィルタ自動清掃装置を搭載した空気調和機の運転開始前までにエアフィルタ５をエアフィルタ駆動経路の所定の位置まで巻きつけるように駆動し、さらに、駆動機構によって付与されたエアフィルタ先端部の巻き付け癖を矯正する狭窄部１１をエアフィルタ駆動経路の途中に設けることで、エアフィルタ５の自動清掃を短時間、且つ確実に行うことが可能となる。【選択図】図９
2018031556.tif 000002
【特許請求の範囲】
【請求項１】
機器内に内蔵されたエアフィルタに付着した塵埃の自動清掃を行うエアフィルタ自動清掃装置であって、前記エアフィルタ自動清掃装置は前記エアフィルタを移動させる移送手段と、この移動過程において前記エアフィルタに付着した塵埃を除去する手段を備え、前記移送手段は駆動部と移動経路から成り、前記機器の運転時に前記エアフィルタを前記移動経路の所定の位置まで巻き込むように構成されていることを特徴とするエアフィルタ自動清掃装置。
【請求項２】
前記移動経路の一部が、リブ等により狭窄した狭窄部を具備することを特徴とする、請求項１に記載のエアフィルタ自動清掃装置。
【請求項３】
前記狭窄部は、前記エアフィルタの左右両端に位置する狭窄部が他に比べてより狭く構成されていることを特徴とする、請求項２に記載のエアフィルタ自動清掃装置。
【請求項４】
請求項１から請求項３のいずれか一項に記載のエアフィルタ自動清掃装置を搭載した空気調和機。
【請求項５】
請求項１から請求項３のいずれか一項に記載のエアフィルタ自動清掃装置を搭載した空気清浄機。
【発明の詳細な説明】
【技術分野】
【０００１】
本発明は、エアフィルタに付着した塵埃の自動清掃が行えるエアフィルタ自動清掃装置ならびに当該装置を搭載した空気調和機ならびに空気清浄機に関する。
【背景技術】
【０００２】
従来、この種の空気調和機としては、特許文献１に開示されたものが知られている。
特許文献１に開示された空気調和機はエアフィルタを送る移送手段と、移送過程に設置されたブラシによりエアフィルタに付着した塵埃を除去するように構成されている。また、エアフィルタは折り返すことなく取り付けるように構成されている。
【先行技術文献】
【特許文献】
【０００３】
【特許文献１】特開２００８−５７８８３号公報
【発明の概要】
【発明が解決しようとする課題】
【０００４】
特許文献１の空気調和機においては、エアフィルタが装着位置のまま空調運転がなされるため、自動清掃時にはエアフィルタの開口部が埃のかき出しブラシに到達するまでに時間がかかり、全体として自動清掃時間が延びるという課題がある。
【０００５】
従って、本発明の目的は、前述の課題を解決することにあって、エアフィルタの開口部が埃のかき出しブラシに到達するまでの時間を短縮し、自動清掃の効率を向上させることが出来る空気調和機を提供することにある。
【課題を解決するための手段】
【０００６】
前記従来の課題を解決するために、本発明のエアフィルタ自動清掃装置は、機器内に内蔵されたエアフィルタに付着した塵埃の自動清掃を行うエアフィルタ自動清掃装置であって、前記エアフィルタ自動清掃装置は前記エアフィルタを移動させる移送手段と、この移動過程において前記エアフィルタに付着した塵埃を除去する手段を備え、前記移送手段は駆動部と移動経路から成り、前記機器の運転時に前記エアフィルタを前記移動経路の所定の位置まで巻き込むように構成されている。
【０００７】
これによって、塵埃の付着したエアフィルタの開口部がブラシに到達するまでの時間を短縮でき、自動清掃の効率を向上させることが出来る。
【０００８】
また、本発明のエアフィルタ自動清掃装置は、前記移動経路の一部が、リブ等により狭窄した狭窄部を具備するように構成されている。
【０００９】
これによって、機器運転時に所定の位置まで巻き込むことで生じるエアフィルタの巻き付け癖を矯正することが出来る。
【００１０】
また上記構成において、部分的に狭く構成される移動経路はエアフィルタの左右両端のみに設ける構成であっても良い。
【００１１】
これによって、エアフィルタの中で最も巻き付け癖のつきやすい、左右両端部の巻き付け癖を効果的に矯正することができる。
【００１２】
本発明にかかるエアフィルタ自動清掃装置を利用した機器として、例えば、空気調和機や空気清浄機を挙げることが出来る。
【発明の効果】
【００１３】
以上のように、本発明のエアフィルタ自動清掃装置は、機器の運転開始時にエアフィルタを所定の位置まで巻きつけるシーケンスを設け、さらに、エアフィルタの巻き付け癖を矯正する経路を設けることで、エアフィルタの清掃を短時間、且つ確実に行うことが可能になり、機器に設けたエアフィルタの自動清掃機能の性能向上を図ることが出来るという効果を奏する。
【図面の簡単な説明】
【００１４】
【図１】本発明の実施形態１における室内機の構成を示す断面図
【図２】本発明の実施形態１におけるエアフィルタの移送機構の斜視図
【図３】本発明の実施形態１におけるエアフィルタの移送機構の構成を示す拡大図
【図４】本発明の実施形態１におけるエアフィルタの取り付け位置を示す図
【図５】本発明の実施形態１におけるエアフィルタの空調運転時の位置を示す図
【図６】本発明の実施形態１におけるエアフィルタの構造を示す斜視図
【図７】本発明の実施形態１におけるエアフィルタ装置の空調運転時を示す図
【図８】本発明の実施形態１におけるエアフィルタ装置の自動清掃時を示す図
【図９】本発明の実施形態２におけるエアフィルタの移送経路に設けられたリブの図
【図１０】本発明の実施形態２におけるエアフィルタの左右両端部を示す斜視図
【発明を実施するための形態】
【００１５】
第１の発明は、機器内に内蔵されたエアフィルタに付着した塵埃の自動清掃を行うエアフィルタ自動清掃装置であって、前記エアフィルタ自動清掃装置は前記エアフィルタを移動させる移送手段と、この移動過程において前記エアフィルタに付着した塵埃を除去する手段を備え、前記移送手段は駆動部と移動経路から成り、前記機器の運転時（遅くとも運転開始時まで）に前記エアフィルタを前記移動経路の所定の位置まで巻き込むように構成されている。
【００１６】
この構成によれば、機器の運転時にエアフィルタを巻き込み、塵埃を除去するブラシに近い位置で待機できるようにしているので、エアフィルタの塵埃の付着した部分がブラシに到達するまでの時間を短縮でき、自動清掃の効率を向上させることが出来る。
【００１７】
第２の発明は、特に第１の発明の移動経路の一部が、リブ等により狭窄した狭窄部を具備するものである。
【００１８】
この構成によれば、機器の運転時にエアフィルタを巻きつけたことによりエアフィルタに巻き付け癖がつくような場合においても、巻き付け癖を矯正することが可能となり、自動清掃動作中にエアフィルタが装置内の構造物に引っかかるなどの支障を起こすことがない。
【００１９】
第３の発明は、特に第２の発明のエアフィルタの左右両端に位置する狭窄部が他に比べてより狭く構成されているものである。
【００２０】
この構成をなすことにより、巻き付け癖のつきやすいエアフィルタの両端部を重点的に矯正することができる。
【００２１】
第３の発明は、特に第１から第３の発明のエアフィルタ自動清掃装置を空気調和機に搭載したものである。
【００２２】
この構成をなすことによって、使用者の手の届きにくい空気調和機のエアフィルタを常時清潔にすることができるので、空気調和機が吹出す空気の質が向上すると共に、空気調和機の使用電力量を抑えることができる。
【００２３】
第４の発明は、特に第１から第３の発明のエアフィルタ自動清掃装置を空気清浄機に搭載したものである。
【００２４】
この構成をなすことにより、空気清浄機が吹出す空気の質が向上すると共に、空気清浄機の使用電力量を抑えることができる。
【００２５】
以下、本発明の実施形態について、機器を代表して空気調和機を例にとって図面を参照しながら説明する。なお、この実施の形態によって本発明が限定されるものではない。また、本発明の実施形態は、発明の趣旨を逸脱しない限り、種々の改変を加えることが可能である。
【００２６】
（実施の形態１）
図１は本発明の実施の形態１における空気調和機の室内機１の構成を示す断面図である。図２は本発明の実施の形態１におけるエアフィルタ５の移送機構の斜視図であり、図３はエアフィルタの移送機構の構成を示す拡大図である。
【００２７】
空気調和機の室内機１の内部における構成は、熱交換器２とファン３が配置され、室内機１の前面から上面にわたり形成される吸込口から吸気され、空気中に含まれる塵埃は吸込口と熱交換器２の間にエアフィルタ移送装置４により配置されたエアフィルタ５により捕捉される。このエアフィルタ移送装置４がエアフィルタ自動清掃装置の一部を構成する。
【００２８】
エアフィルタ５は空調運転時には図４のエアフィルタ５の取り付け位置からエアフィルタ移送装置４により移送され、図５に示すギア６に巻きつけられた位置まで移動する。図６に示すエアフィルタ５のエアフィルタ開口部５Ａに張られたメッシュにより塵埃を捕捉するが、自動お掃除運転が開始されると、エアフィルタ５はエアフィルタ移送装置４により移送経路をとおり図７の位置から図８の位置まで移動する。
【００２９】
エアフィルタ５に捕捉された塵埃はエアフィルタ５が移送経路内の図７と図８の位置を往復移動する際にブラシ８により掻き出され除去される。
【００３０】
そして、この実施形態によれば、自動清掃開始時にエアフィルタ５のエアフィルタ開口部５Ａがブラシ８に到達するまでの時間を短くできることから、空気調和機としての自動清掃時間を短縮することができる。
【００３１】
（実施の形態２）
図９は本発明の実施の形態２を説明したものである。
【００３２】
前述の実施形態１における空気調和機において、移送経路内に図９で示すようにリブ９等で狭窄箇所を設けることで、エアフィルタ５を空調運転時にギア６に巻きつけることで生じる巻き付け癖を矯正することができる。
【００３３】
より具体的には、エアフィルタの先端（図９におけるギア６に巻き付けられた箇所）に生じやすい巻き付け癖のついた部分が狭窄部１１を通過する際、巻き付け癖によって生じた円筒形状のＲを拡げるような力がリブ９により加えられ、巻き付け癖が矯正される。
【００３４】
このため、空調運転時にエアフィルタ５を図５の位置に固定したとしても、エアフィルタ５の移送動作中に装置の内部構造に引っかかるなどの支障を発生ことなく自動清掃を行うことが出来る。また、この移送経路を狭窄させるリブ９は図１０に示すエアフィルタ５の左右両端部１０が通過する経路内にのみ設けてもよい。
【００３５】
巻き付け癖は、エアフィルタ５の構成の中で、より硬い部分である左右両端部に生じやすいからであり、この部分のみの巻き付け癖を矯正するだけで、効果が得られる。無論、フィルタ構成の硬い部分が左右両端部以外の場所にある場合は、その場所に狭窄部を設ければ同様の効果が得られるのは言うまでもない。
【産業上の利用可能性】
【００３６】
以上のように、本発明にかかるエアフィルタ自動清掃装置は、自動清掃時間を短縮できるので、一般家庭で使用される空気調和機や空気清浄機を含む様々な空気調和機として有用である。
【符号の説明】
【００３７】
１    室内機
２    熱交換器
３    ファン
４    エアフィルタ移送装置
５    エアフィルタ
５Ａ  エアフィルタ開口部（メッシュ部）
６    ギア
７    シャフト
８    ブラシ
９    リブ
１０  エアフィルタの左右両端部
１１  狭窄部
【図１】
2018031556.tif 000003
【図２】
2018031556.tif 000004
【図３】
2018031556.tif 000005
【図４】
2018031556.tif 000006
【図５】
2018031556.tif 000007
【図６】
2018031556.tif 000008
【図７】
2018031556.tif 000009
【図８】
2018031556.tif 000010
【図９】
2018031556.tif 000011
【図１０】
2018031556.tif 000012